(57)【要約】【課題】低コストで垂れ房部に奇麗に表現された飾り房を提供する。細線条体の脱落や破損が生じにくい最適な細線条体束の緊締を簡便に実現できる加工しやすい飾り房を提供する。【解決手段】繊維性素材など弾性を有する細線条体束を、緊締条体で巻き結びを用いて緊締結止したのち、一定長延在させて裁断し、非緊締部分を放射状に散開させ、これを金属ピンを中心にした粗状体とし、中心部に、太さ０．５〜２ｍｍの高屈曲性をもち、先端に頭部を設けた金属線にして、該粗状体を構成する該粗状体を構成する細線条体によって巻き結んでいる金属ピン付き飾り房【選択図】図１
0003180101.tif 000002
【実用新案登録請求の範囲】
【請求項１】
多数本の弾性を有する細線条体を、緊締条体により緊締したのち、該緊締条体を中心として両側一定長延在させて裁断して、細線条体束の房体を作り、該細線条体束の非緊締部分を放射状に散開させ、これを細線条状体とし、該細線条状房体を構成する細線条体の中心部で、太さ０．３〜２ｍｍの高屈曲性をもち、先端に頭状を形成している金属線に、巻き結んでいることを特徴とする金属ピン付き飾り房。
【請求項２】
細線条体が糸もしくは糸を織成ないし編成したものであり、緊締条体を引張強度の高い緊締糸で、緊締条体の太さを３ｍｍ〜３０ｍｍであって、細線条体の長さ３０〜１５０ｍｍであることを特徴とする請求項１記載の金属ピン付き飾り房。
【請求項３】
高屈曲性の金属線は、曲げ強度を６００ｋｇ／ｃｍ２以下、せん断強度５００ｋｇ／ｃｍ２以下、ネジリ強度４００ｋｇ／ｃｍ２以下の高屈曲性である棒状、角状であることを特徴とする請求項１または２記載の金属ピン付き飾り房。
【請求項４】
太さ０．３〜２ｍｍの高屈曲性をもち、先端に頭状を形成している金属線は、鉄、銅、アルミニウム、金、銀、真鍮であって、長さを１０ｍｍ〜１００ｍｍにして、頭部を線条の太さより１ｍｍ〜５ｍｍの球状、角状、円状であることを特徴とする請求項１〜請求項３のいずれかに記載の金属ピン付き飾り房。
【請求項５】
前記細線条体は、一重〜３重の傘形状、角状、球状にしたもの、及び所定の文字及び絵柄模様を含む図柄を描いたものであり、前記止め具の先端に頭部を設けた金属線に保持されていることを特徴とする請求項１〜請求項４のいずれかに記載の金属ピン付き飾り房。
【請求項６】
前記細線条からなる房体は、蓄光材、蛍光材を塗布した細線条、および匂いを含ませた細線条にしているか、又は前記止め具の先端頭部に光を発するＬＥＤ、または匂い発生体を房体内部に取り付けて、金属線に保持されていることを特徴とする請求項１〜請求項５のいずれかに記載の金属ピン付き飾り房。
【考案の詳細な説明】
【技術分野】
【０００１】本考案は飾り房に関し、より詳細には組紐と、該組紐の下端に設けられた加工しやすい止め具と、該止め具に保持されたデザイン性の垂れ房部とを備えた飾【０００２】垂れ状房は、和装品、念珠などに装飾部材として添装されることが多い。本考案は、このような金属ピン付きで加工いやすい飾り房に関する。
【背景技術】
【０００３】従来より、組紐と、該組紐の下端に設けられた止め具と、該止め具に保持された垂れ房部とを備えた飾り房は、垂れ幕等の飾りや祭りの神輿や道具等の飾りとして使用されており、また近年では、車内等、様々な場所で利用されるアクセサリーやインテリア用の装飾品としても使用されている（例えば、下記の特許文献１参照）。【０００４】しかしながら、従来の飾り房は、予め所定の色に染色された糸を用いて垂れ房部が形成されているものが殆どであり、垂れ房部の意匠性が低く、染色（浸染）により垂れ房部に模様を施す方法も試みられたが、染色コストが高く付き、また、色柄を奇麗に表現することが難しいという問題があった。【０００５】ところで近年、パーソナルコンピュータとインクジェット式印刷装置とを用いて、コンピュータを用いて作成した図柄をＴシャツなどの布製品に印刷する技術が開発されている（例えば、下記の特許文献２、３参照）。【０００６】しかしながら、上記の特許文献に開示されている技術は、Ｔシャツなど、薄くて平坦な布製品に対するインクジェット印刷に関するものであって、房糸部に対する印刷技術については、これまで検討されていなかった。【０００７】従来の技術については、熟練者による手作業を主体とし、糸など細線条体の束を、強度に富む糸などを構成素材とする緊締条体により、手作業によりいわゆる固結び、即ち二重止め結びをして緊締したのち、緊締条体を中心として両側一定長延在させて裁断して細線条体束を作り、細線条体束の非緊締部分を放射状に散開させて構成する細線条体の遊曲部分を適宜刈成するという製造方法が従前よりとられている。【０００８】上記従来技術は、緊締条体により細線条体の束を緊締する工程で、作業者は通常、固結び即ち二重止め結び第１手順時における結び目に塗唾するなど、結び目に水分を含ませることにより、摩擦度を増大させて細線条体束の弾性による戻りを抑止し、緊締度を強化し、また緊締条体が天然繊維の場合など、緊締条体から水分が蒸発する際に繊維が縮む特性を利用し、さらにより強固な緊締を実現しようとするものであった。【０００９】組紐の少なくとも一方の端部に上記組紐とは別個に作られた装飾体が取り付けられて上記装飾体は、飾り房、巻き玉、又は、飾り房と巻き玉とが連結された連結体である飾り紐が提案されている（特許文献４参照）。【００１０】組紐と、組紐の下端に設けられた止め具と、止め具に保持された垂れ房部とを備えた飾り房において、垂れ房部が、芯糸に所定長さの撚り糸を多数往復編成して所定幅に形成された房糸部からなり、房糸部を帯状に広げた状態の両面に、インクジェット式印刷装置により所定の図柄が印刷されて、撚り糸の外周に着色が施されている飾り房が提案されている（特許文献５参照）。【００１１】細線条体の脱落や破損が生じにくい最適な細線条体束の緊締を簡便に実現できる球状房を提供するために、繊維性素材など弾性を有する細線条体束を、緊締条体で巻き結びを用いて緊締結止したのち、これを粗球状体とし、該粗球状体を構成する球状房にすることを提案されている（特許文献６参照）。【００１２】  房自身の加工はもとより、装飾品として加工部品としての応用はほとんどなされていない。
【先行技術文献】
【特許文献】
【００１３】
【特許文献１】実用新案登録第３０５７２１０号公報
【特許文献２】特開２００１−３３６０７３号公報
【特許文献３】特開平７−３３６４６６号公報
【特許文献４】実用新案登録第３１６２６９２号公報
【特許文献５】実用新案登録第３１５３１９８号公報
【特許文献６】特開２００２−１０５８２２号公報
【考案の概要】
【考案が解決しようとする課題】
【００１４】細線条体束は、素材が繊維質のものであれば、当然相当程度の弾性を有するが、上記従来技術においては、止め結びを緊締条体結止手段としているため、結び目部分に水分を含ませた場合でも、緊締されている細線条体束からの弾発により、止め結びをする間に一定の戻りが生じることが多く、この戻りにより緊締部が弛緩し、使用の度合いや期間によっては、細線条体の脱落が生じやすくなる、という課題があった。【００１５】また緊締条体は通常繊維を撚成した糸状のものであり、これに水分を含ませると、緊締条体の構成素材である繊維が劣化するため、使用の度合いや期間によっては、破損が早まるおそれがある、という課題があった。【００１６】さらに緊締条体を緊締してゆく作業は、熟練者による手作業が現在なお主流であり、緊締条体、細線条体束の各素材の強度、伸張度、弾性度等を熟練者が経験により習得し、これらに配慮した最適な緊締を行うのが通常であるが、その高度な習得技術により緊締を行わない場合、最適な緊締状態を得ることができず、一方緊締度が弱ければ、使用の度合いや期間によっては、房からの細線条体の脱落が生じやすくなる、という課題があった。【００１７】本考案はこのような課題にかんがみ、細線条体束からの弾発による緊締の戻り、細線条体の脱落、及び細線条体束の破損がともに生じにくい最適な細線条体束の緊締を非熟練者でも簡便な手順で実現でき、しかも高屈曲性をもち、先端に頭状を形成している金属線に、巻き結んでいるために、種々の装飾品に加工しやすく、簡単に使用できるようにしている金属ピン付き装飾房を提供することを目的とする。
【課題を解決するための手段】
【００１８】多数本の弾性を有する細線条体を、緊締条体により緊締したのち、該緊締条体を中心として両側一定長延在させて裁断して、細線条体束の房体を作り、該細線条体束の非緊締部分を放射状に散開させ、これを細線条状体とし、該細線条状房体を構成する細線条体の中心部で、太さ０．３〜２ｍｍの高屈曲性をもち、先端に頭状を形成している金属線に、巻き結んでいる金属ピン付き飾り房である。【００１９】細線条体が糸もしくは糸を織成ないし編成したものであり、緊締条体を引張強度の高い緊締糸で、緊締条体の太さを３ｍｍ〜３０ｍｍであって、細線条体の長さ３０〜１５０ｍｍである。【００２０】高屈曲性の金属線は、曲げ強度を６００ｋｇ／ｃｍ２以下、せん断強度５００ｋｇ／ｃｍ２以下、ネジリ強度４００ｋｇ／ｃｍ２以下の高屈曲性である棒状、角状である。【００２１】太さ０．３〜２ｍｍの高屈曲性をもち、先端に頭状を形成している金属線は、鉄、銅、アルミニウム、金、銀、真鍮であって、長さを１０ｍｍ〜１００ｍｍにして、頭部を線条の太さより１ｍｍ〜５ｍｍの球状、角状、円状である。【００２２】前記細線条体は、一重〜３重の傘形状、角状、球状にしたもの、及び所定の文字及び絵柄模様を含む図柄を描いたものであり、前記止め具の先端に頭部を設けた金属線に保持されている。【００２３】前記細線条からなる房体は、蓄光材、蛍光材を塗布した細線条、および匂いを含ませた細線条にしているか、又は前記止め具の先端頭部に光を発するＬＥＤ、または匂い発生体を房体内部に取り付けて、金属線に保持されている。【００２４】前記細線条体に所定の図柄が、前記両面で一致する絵柄模様を含む図柄であり、前記止め具の先端に頭部を設けた金属線に保持されている金属ピン付き飾り房である。【００２５】本考案は上記課題に鑑みなされたものであって、飾り房に用いる房体に対する、低コストで、かつ房糸部を構成する各撚り糸の全周に綺麗に装飾できる飾り具に仕上がることが行えることを見出し、低コストで、デザインの変化に富み、複数の色の階調を持たせた意匠が、垂れ房部に奇麗に表現された飾り房を提供する。
【考案の効果】
【００２６】本考案に係る飾り房体は、上記飾り房において、金属ピンの部分が加工できて、種々の装飾品に付けられるようになった。また房自身にも、所定の線条体束のデザインなど形状、絵柄模様を配置した房の柄にしても、前記並列に配置して描かれた各形状、色彩、柄がそれぞれ重ね合わさるようにして、前記房糸部が前記止め具に巻き付けられて、一段と装飾性を増した房体である。【００２７】中心線に金属ピンを使用するために、細線条体束からの弾発による緊締の戻り、細線条体の脱落、及び細線条体束の破損がともに生じにくい最適な細線条体束の緊締を非熟練者でも簡便な手順で実現できる垂れ房が提供される。
房体は、蓄光材、蛍光材を塗布した細線条、および匂いを含ませた細線条にしているか、又は前記止め具の先端頭部に光を発するＬＥＤ、または匂い発生体を房体内部に取り付けているので、房体自身が暗所でも輝き、また香料を発する房であり、今までにない装飾の用途になる。
【図面の簡単な説明】
【００２８】
【図１】本考案の実施の形態に係る飾り房の全体を示した斜視図。
【図２】金属ピンの形状図
【図３】金属ピンを使用して加工飾り房の垂れ房部ブロック図。
【図４】金属ピン付き飾り房の垂れ房部製作工程図。Ａ  糸の束の中心に金属ピンを入れ綿糸でずれないように縛る。Ｂ  金属ピンの針部分が突き出るよう、指先で房の形を整える。Ｃ  形が整ったら、まとめ糸で束ねる  Ｄ  必要な長さで飾り房の下部をカットし、形をきれいに整える。
【図５】実施の形態に係る飾り房における房糸部の止め具への取り付け構造図。穴のあいたビーズや天然石などに金属ピンの針を通す。
【図６】実施の形態に係る飾り房における加工した装飾品１図。
【図７】実施の形態に係る飾り房における加工した装飾品２図。
【図８】使用例  Ａ  バックにつけるチャームとして  Ｂ  ブローチ  Ｃ  スカーフの飾りとして
【考案を実施するための形態】
【００２９】以下、本考案に係る飾り房の実施の形態を図面に基づいて説明する。図１は本考案の実施の形態に係る飾り房の全体を示した正面図、図２は、金属ピンの形状図、図３は金属ピンを使用して加工飾り房の垂れ房部ブロック図、図４は金属ピン付き飾り房の垂れ房部製作工程図、図５は飾り房における房糸部の止め具への取り付け構造図、図６、図７は実施の形態に係る飾り房における加工した装飾品である。
【実施例１】
【００３０】図１に示すように、細線条体が糸もしくは糸を織成ないし編成したものであり、緊締条体を引張強度の高い緊締糸で、緊締条体の太さを６ｍｍであって、細線条体の長さ６０ｍｍであり、これを粗状体とし、該粗状体を構成する細線条体の中心部で、太さ０．７ｍｍの高屈曲性をもち、先端に頭状を形成している金属線に、巻き結んだ。【００３１】図２Ｂに示すように金属線は、大きさ０．７ｍｍの高屈曲性をもち、先端に頭状を形成している真鍮であって、長さを４０ｍｍにして、頭部を線条の太さより３ｍｍの円状でした。
図４に示すように、絹糸１６０ｍｍの長さ約２０００本をＡ→Ｂ→Ｃ→Ｄの手順によって加工した。
図５に示した金属ピンにビーズや天然石をとおして取り付け、図６が示すようにピアスの金具を取り付け、ピアスを製作した。
【実施例２】
【００３２】図１に示すように、細線条体が糸もしくは糸を織成ないし編成したものであり、緊締条体を引張強度の高い緊締糸で、緊締条体の太さを６ｍｍであって、細線条体の長さ８０ｍｍであり、これを粗状体とし、該粗状体を構成する細線条体の中心部で、太さ０．７ｍｍの高屈曲性をもち、先端に頭状を形成している金属線に、巻き結んだ。【００３３】図２Ｂに示すように金属線は、大きさ０．７の高屈曲性をもち、先端に頭状を形成している真鍮であって、長さを４０ｍｍにして、頭部を線条の太さより３ｍｍの円状でした。
図４に示すように、絹糸１８０ｍｍの長さ２０００本をＡ→Ｂ→Ｃ→Ｄの手順によって加工した。
図５に示した金属ピンにビーズをとおして取り付け、図７が示すようにネックレスチェーンの金具を取り付け、ネックレスを製作した。
【実施例３】
【００３４】図１に示すように、細線条体が糸もしくは糸を織成ないし編成したものであり、緊締条体を引張強度の高い緊締糸で、緊締条体の太さを８ｍｍであって、細線条体の長さ６０ｍｍであり、これを粗状体とし、該粗状体を構成する細線条体の中心部で、太さ０．７ｍｍの高屈曲性をもち、先端に頭状を形成している金属線に、巻き結んだ。【００３５】図２Ｂに示すように金属線は、大きさ０．７ｍｍの高屈曲性をもち、先端に頭状を形成しているスチールであって、長さを４０ｍｍにして、頭部を線条の太さより２ｍｍの球状でした。
図４に示すように、絹糸１６０ｍｍの長さ２０００本をＡ→Ｂ→Ｃ→Ｄの手順によって加工した。
図５に示した金属ピンにビーズや天然石をとおして取り付け、図８Ａが示すようにチャームの金具を取り付け、バックチャームを製作した。
【実施例４】
【００３６】図１に示すように、細線条体が糸もしくは糸を織成ないし編成したものであり、緊締条体を引張強度の高い緊締糸で、緊締条体の太さを８ｍｍであって、細線条体の長さ７０ｍｍであり、これを粗状体とし、該粗状体を構成する細線条体の中心部で、太さ１ｍｍの高屈曲性をもち、先端に頭状を形成している金属線に、巻き結んだ。【００３７】図２Ｂに示すように金属線は、大きさ１ｍｍの高屈曲性をもち、先端に頭状を形成している銅であって、長さを８０ｍｍにして、頭部を線条の太さより３ｍｍの円状でした。
図４に示すように、レーヨン１６０ｍｍの長さ１０００本をＡ→Ｂ→Ｃ→Ｄの手順によって加工した。
図５に示した金属ピンにビーズをとおして取り付け、図８Ｂが示すようにブローチの金具を取り付け、ブローチを製作した。
【実施例５】
【００３８】図１に示すように、細線条体が糸もしくは糸を織成ないし編成したものであり、緊締条体を引張強度の高い緊締糸で、緊締条体の太さを３ｍｍであって、細線条体の長さ２０ｍｍであり、これを粗状体とし、該粗状体を構成する細線条体の中心部で、太さ０．５ｍｍの高屈曲性をもち、先端に頭状を形成している金属線に、巻き結んだ。【００３９】図２Ｂに示すように金属線は、大きさ０．５ｍｍの高屈曲性をもち、先端に頭状を形成しているアルミニウムであって、長さを２０ｍｍにして、頭部を線条の太さより３ｍｍの円状でした。
図４に示すように、綿２０ｍｍの長さ６００本をＡ→Ｂ→Ｃ→Ｄの手順によって加工した。
図５に示した金属ピンを図８Ｃが示すようにスカーフの端部分に取り付けた。
【符号の説明】
【００４０】１  飾り房
２  まとめ糸
３  アタッチメント
４  綿糸
５  ビーズ、天然石
６  ピアス金具
７  房糸
８  金属ピン
９  ネックレスチェーン
１０  金属ピン頭
１１  バック
１２  スカーフ
１３  ブローチ
【図１】
0003180101.tif 000003
【図２】
0003180101.tif 000004
【図３】
0003180101.tif 000005
【図４】
0003180101.tif 000006
【図５】
0003180101.tif 000007
【図６】
0003180101.tif 000008
【図７】
0003180101.tif 000009
【図８】
0003180101.tif 000010